【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
第１のノードにおけるワイヤレス通信の方法であって、
基地局またはゲートウェイから同期情報を受信することと、
前記同期情報に基づいて、少なくとも１つの発見フレームを決定することと、
前記少なくとも１つの発見フレームのうちの１つ中で第２のノードからブロードキャストされたスケジューリングデータを受信すること、前記スケジューリングデータは、第２のノードのためのアウェイク期間スケジュールを含む、と、
前記第２のノードの前記スケジューリングデータに基づいて、前記第２のノードのアウェイク期間を決定することと、
前記第２のノードの前記アウェイク期間の間に前記第１のノードから前記第２のノードに構成された量のデータの完全な送信を可能にするための要求された送信時間期間（Ｔ２）を決定することと、
前記第２のノードの前記アウェイク期間よりＴ２前の前記時間期間で開始するように前記第１のノードのアウェイク期間を構成することと、
前記第１および第２のノードの前記アウェイク期間の間に前記第１のノードから前記第２のノードに前記構成された量のデータを送信することと
を備える、方法。
【請求項２】
前記第１のノードの前記アウェイク期間に基づいて、前記第１のノードのスリープ期間を決定することと、
前記スリープ期間中でスリープすることと
をさらに備える、請求項１に記載の方法。
【請求項３】
前記同期情報は、第１のネットワークから受信され、前記第２のノードは、前記第１のネットワークとは異なる第２のネットワーク中にある、
請求項１に記載の方法。
【請求項４】
前記第２のノードが前記第１のノードのネクストホップノードであると決定することをさらに備え、
前記第１のノードの前記アウェイク期間の終点は、前記第２のノードの前記アウェイク期間の終点より少なくとも前記送信時間期間（Ｔ２）の長さ前であると決定され、前記第１のノードの前記アウェイク期間の始点は、前記第２のノードの前記アウェイク期間の始点より少なくとも送信時間期間（Ｔ２）の長さ前であると決定される、
請求項１に記載の方法。
【請求項５】
第１のツリーの情報を受信すること、ここにおいて、前記第２のノードが前記第１のツリー上のノードである、と、
前記第１のツリーに加わるために、前記第２のノードが前記第１のノードのネクストホップノードであると決定すること、ここにおいて、前記第２のノードの前記アウェイク期間は、前記第１のツリーのアウェイク期間である、と
をさらに備える、請求項１に記載の方法。
【請求項６】
第２のツリーの情報を受信することと、
前記第２のツリーのアウェイク期間を決定することと、
前記第１のツリーおよび前記第２のツリーの前記アウェイク期間に基づいて、前記第１のツリーに加わることを決定することと
をさらに備える、請求項５に記載の方法。
【請求項７】
前記第１のツリーの各ノードのアウェイク期間は、前記第１のノードの前記アウェイク期間と同じである、
請求項５に記載の方法。
【請求項８】
前記第１のノードから宛先ノードへのルートを決定すること、ここにおいて、前記第２のノードは、前記ルート上のノードである、と、
前記ルートに加わるために、前記第２のノードが前記第１のノードのネクストホップノードであると決定することと
をさらに備える、請求項１に記載の方法。
【請求項９】
前記第２のノードが前記第１のノードのネイバリングノードであることを検出することをさらに備える、
請求項１に記載の方法。
【請求項１０】
前記少なくとも１つの発見フレームのうちの１つ中で第３のノードからスケジューリングデータを受信することと、
前記第３のノードの前記スケジューリングデータに基づいて、前記第３のノードのアウェイク期間を決定することと、
前記第３のノードの前記アウェイク期間にさらに基づいて、前記第１のノードの前記アウェイク期間を決定することと、
前記第３のノードに関連付けることと
をさらに備える、請求項１に記載の方法。
【請求項１１】
ワイヤレス通信のための装置であって、前記装置が第１のノードであり、
基地局またはゲートウェイから同期情報を受信するための手段と、
前記同期情報に基づいて、少なくとも１つの発見フレームを決定するための手段と、
前記少なくとも１つの発見フレームのうちの１つ中で第２のノードからブロードキャストされたスケジューリングデータを受信するための手段、前記スケジューリングデータは、第２のノードのためのアウェイク期間スケジュールを含む、と、
前記第２のノードの前記スケジューリングデータに基づいて、前記第２のノードのアウェイク期間を決定するための手段と、
前記第２のノードの前記アウェイク期間の間に前記第１のノードから前記第２のノードに構成された量のデータの完全な送信を可能にするための要求された送信時間期間（Ｔ２）を決定するための手段と、
前記第２のノードの前記アウェイク期間よりＴ２前の前記時間期間で開始するように前記第１のノードのアウェイク期間を構成するための手段と、
前記第１および第２のノードの前記アウェイク期間の間に前記第１のノードから前記第２のノードに前記構成された量のデータを送信するための手段と
を備える、装置。
【請求項１２】
前記第１のノードの前記アウェイク期間に基づいて、前記第１のノードのスリープ期間を決定するための手段と、
前記スリープ期間中でスリープするための手段と
をさらに備える、請求項１１に記載の装置。
【請求項１３】
前記同期情報は、第１のネットワークから受信され、前記第２のノードは、前記第１のネットワークとは異なる第２のネットワーク中にある、
請求項１１に記載の装置。
【請求項１４】
前記第２のノードが前記第１のノードのネクストホップノードであると決定するための手段をさらに備え、
前記第１のノードの前記アウェイク期間の終点は、前記第２のノードの前記アウェイク期間の終点前より少なくとも前記送信時間期間（ＴＴ２）の長さ前であると決定され、前記第１のノードの前記アウェイク期間の始点は、前記第２のノードの前記アウェイク期間の始点より少なくとも送信時間期間（Ｔ２）の長さ前であると決定される、
請求項１１に記載の装置。
【請求項１５】
第１のノードでのワイヤレス通信のためのコンピュータ実行可能コードを記憶するコンピュータ可読媒体であって、
基地局またはゲートウェイから同期情報を受信することと、
前記同期情報に基づいて、少なくとも１つの発見フレームを決定することと、
前記少なくとも１つの発見フレームのうちの１つ中で第２のノードからブロードキャストされたスケジューリングデータを受信すること、前記スケジューリングデータは、第２のノードのためのアウェイク期間スケジュールを含む、と、
前記第２のノードの前記スケジューリングデータに基づいて、前記第２のノードのアウェイク期間を決定することと、
前記第２のノードの前記アウェイク期間の間に前記第１のノードから前記第２のノードに構成された量のデータの完全な送信を可能にするための要求された送信時間期間（Ｔ２）を決定することと、
前記第２のノードの前記アウェイク期間よりＴ２前の前記時間期間で開始するように前記第１のノードのアウェイク期間を構成することと、
前記第１および第２のノードの前記アウェイク期間の間に前記第１のノードから前記第２のノードに前記構成された量のデータを送信することと
を行うためのコードを備える、コンピュータ可読媒体。
【手続補正２】
【補正対象書類名】明細書
【補正対象項目名】０１１５
【補正方法】変更
【補正の内容】
【０１１５】
[00129]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されたいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願出願の当初の特許請求の範囲に記載された発明を付記する。
［Ｃ１］
第１のノードにおけるワイヤレス通信の方法であって、
同期情報を受信することと、
前記同期情報に基づいて、少なくとも１つの発見フレームを決定することと、
前記少なくとも１つの発見フレームのうちの１つ中で第２のノードからスケジューリングデータを受信することと、
前記第２のノードの前記スケジューリングデータに基づいて、前記第２のノードの第１のアウェイク期間を決定することと、
前記第１のアウェイク期間に基づいて、前記第１のノードの第２のアウェイク期間を決定することと、
前記第２のノードに関連付けることと、
前記第２のアウェイク期間における通信のためにアウェイクにとどまることと
を備える、方法。
［Ｃ２］
前記第２のアウェイク期間に基づいて、前記第１のノードのスリープ期間を決定することと、
前記スリープ期間中でスリープすることと
をさらに備える、［Ｃ１］に記載の方法。
［Ｃ３］
前記同期情報は、第１のネットワークから受信され、前記第２のノードは、前記第１のネットワークとは異なる第２のネットワーク中にある、
［Ｃ１］に記載の方法。
［Ｃ４］
前記少なくとも１つの発見フレームのうちの１つ中で前記第２のアウェイク期間をブロードキャストすることをさらに備える、
［Ｃ１］に記載の方法。
［Ｃ５］
前記第２のノードが前記第１のノードのネクストホップノードであると決定することと、
前記第１のノードから前記第２のノードにパケットを送信するための送信期間を決定することと
をさらに備え、前記第２のアウェイク期間の終了は、前記第１のアウェイク期間の終了より少なくとも前記送信期間前であると決定される、
［Ｃ１］に記載の方法。
［Ｃ６］
第１のツリーの情報を受信すること、ここにおいて、前記第２のノードが前記第１のツリー上のノードである、と、
前記第１のツリーに加わるために、前記第２のノードが前記第１のノードのネクストホップノードであると決定すること、ここにおいて、前記第１のアウェイク期間は、前記第１のツリーのアウェイク期間である、と
をさらに備える、［Ｃ１］に記載の方法。
［Ｃ７］
第２のツリーの情報を受信することと、
前記第２のツリーのアウェイク期間を決定することと、
前記第１のツリーおよび前記第２のツリーの前記アウェイク期間に基づいて、前記第１のツリーに加わることを決定することと
をさらに備える、［Ｃ６］に記載の方法。
［Ｃ８］
前記第１のツリーの各ノードのアウェイク期間は、前記第２のアウェイク期間と同じである、
［Ｃ６］に記載の方法。
［Ｃ９］
前記第１のノードから宛先ノードへのルートを決定すること、ここにおいて、前記第２のノードは、前記ルート上のノードである、と、
前記ルートに加わるために、前記第２のノードが前記第１のノードのネクストホップノードであると決定することと
をさらに備える、［Ｃ１］に記載の方法。
［Ｃ１０］
前記第２のノードが前記第１のノードのネイバリングノードであることを検出することをさらに備える、
［Ｃ１］に記載の方法。
［Ｃ１１］
前記少なくとも１つの発見フレームのうちの１つ中で第３のノードからスケジューリングデータを受信することと、
前記第３のノードの前記スケジューリングデータに基づいて、前記第３のノードの第３のアウェイク期間を決定することと、
前記第３のアウェイク期間にさらに基づいて、前記第１のノードの前記第２のアウェイク期間を決定することと、
前記第３のノードに関連付けることと
をさらに備える、［Ｃ１］に記載の方法。
［Ｃ１２］
ワイヤレス通信のための装置であって、前記装置が第１のノードであり、
同期情報を受信するための手段と、
前記同期情報に基づいて、少なくとも１つの発見フレームを決定するための手段と、
前記少なくとも１つの発見フレームのうちの１つ中で第２のノードからスケジューリングデータを受信するための手段と、
前記第２のノードの前記スケジューリングデータに基づいて、前記第２のノードの第１のアウェイク期間を決定するための手段と、
前記第１のアウェイク期間に基づいて、前記第１のノードの第２のアウェイク期間を決定するための手段と、
前記第２のノードに関連付けるための手段と、
前記第２のアウェイク期間における通信のためにアウェイクにとどまるための手段と
を備える、装置。
［Ｃ１３］
前記第２のアウェイク期間に基づいて、前記第１のノードのスリープ期間を決定するための手段と、
前記スリープ期間中でスリープするための手段と
をさらに備える、［Ｃ１２］に記載の装置。
［Ｃ１４］
前記同期情報は、第１のネットワークから受信され、前記第２のノードは、前記第１のネットワークとは異なる第２のネットワーク中にある、
［Ｃ１２］に記載の装置。
［Ｃ１５］
前記少なくとも１つの発見フレームのうちの１つ中で前記第２のアウェイク期間をブロードキャストするための手段をさらに備える、
［Ｃ１２］に記載の装置。
［Ｃ１６］
前記第２のノードが前記第１のノードのネクストホップノードであると決定するための手段と、
前記第１のノードから前記第２のノードにパケットを送信するための送信期間を決定するための手段と
をさらに備え、前記第２のアウェイク期間の終了は、前記第１のアウェイク期間の終了より少なくとも前記送信期間前であると決定される、
［Ｃ１２］に記載の装置。
［Ｃ１７］
第１のツリーの情報を受信するための手段、ここにおいて、前記第２のノードは、前記第１のツリー上のノードである、と、
前記第１のツリーに加わるために、前記第２のノードが前記第１のノードのネクストホップノードであると決定するための手段、ここにおいて、前記第１のアウェイク期間は、前記第１のツリーのアウェイク期間である、と、
をさらに備える、［Ｃ１２］に記載の装置。
［Ｃ１８］
第２のツリーの情報を受信するための手段と、
前記第２のツリーのアウェイク期間を決定するための手段と、
前記第１のツリーおよび前記第２のツリーの前記アウェイク期間に基づいて、前記第１のツリーに加わることを決定するための手段と
をさらに備える、［Ｃ１７］に記載の装置。
［Ｃ１９］
前記第１のツリーの各ノードのアウェイク期間は、前記第２のアウェイク期間と同じである、
［Ｃ１７］に記載の装置。
［Ｃ２０］
前記第１のノードから宛先ノードへのルートを決定するための手段、ここにおいて、前記第２のノードは、前記ルート上のノードである、
前記ルートに加わるために、前記第２のノードが前記第１のノードのネクストホップノードであると決定するための手段と
をさらに備える、［Ｃ１２］に記載の装置。
［Ｃ２１］
前記第２のノードは、前記第１のノードのネイバリングノードであることを検出するための手段をさらに備える、
［Ｃ１２］に記載の装置。
［Ｃ２２］
前記少なくとも１つの発見フレームのうちの１つ中で第３のノードからスケジューリングデータを受信するための手段と、
前記第３のノードの前記スケジューリングデータに基づいて、前記第３のノードの第３のアウェイク期間を決定するための手段と、
前記第３のアウェイク期間にさらに基づいて、前記第１のノードの前記第２のアウェイク期間を決定するための手段と、
前記第３のノードに関連付けるための手段と
をさらに備える、［Ｃ１２］に記載の装置。
［Ｃ２３］
ワイヤレス通信のための装置であって、前記装置は、第１のノードであり、
メモリと、
前記メモリに結合された少なくとも１つのプロセッサと
を備え、前記少なくとも１つのプロセッサは、
同期情報を受信することと、
前記同期情報に基づいて、少なくとも１つの発見フレームを決定することと、
前記少なくとも１つの発見フレームのうちの１つ中で第２のノードからスケジューリングデータを受信することと、
前記第２のノードの前記スケジューリングデータに基づいて、前記第２のノードの第１のアウェイク期間を決定することと、
前記第１のアウェイク期間に基づいて、前記第１のノードの第２のアウェイク期間を決定することと、
前記第２のノードに関連付けることと、
前記第２のアウェイク期間における通信のためにアウェイクにとどまることと
を行うように構成された、装置。
［Ｃ２４］
前記同期情報は、第１のネットワークから受信され、前記第２のノードは、前記第１のネットワークとは異なる第２のネットワーク中にあり、前記少なくとも１つのプロセッサは、
前記第２のアウェイク期間に基づいて、前記第１のノードのスリープ期間を決定することと、
前記スリープ期間中でスリープすることと、
前記少なくとも１つの発見フレームのうちの１つ中で前記第２のアウェイク期間をブロードキャストすることと
を行うようにさらに構成された、［Ｃ２３］に記載の装置。
［Ｃ２５］
前記少なくとも１つのプロセッサは、
前記第２のノードが前記第１のノードのネクストホップノードであると決定することと、
前記第１のノードから前記第２のノードにパケットを送信するための送信期間を決定することと
を行うようにさらに構成され、
前記第２のアウェイク期間の終了は、前記第１のアウェイク期間の終了より少なくとも前記送信期間前であると決定される、
［Ｃ２３］に記載の装置。
［Ｃ２６］
前記少なくとも１つのプロセッサは、
第１のツリーの情報を受信すること、ここにおいて、前記第２のノードは、前記第１のツリー上のノードであり、前記第１のツリーの各ノードのアウェイク期間は、前記第２のアウェイク期間と同じである、と、
前記第１のツリーに加わるために、前記第２のノードが前記第１のノードのネクストホップノードであると決定すること、ここにおいて、前記第１のアウェイク期間は、前記第１のツリーのアウェイク期間である、と、
第２のツリーの情報を受信することと、
前記第２のツリーのアウェイク期間を決定することと、
前記第１のツリーおよび前記第２のツリーの前記アウェイク期間に基づいて、前記第１のツリーに加わることを決定することと
を行うようにさらに構成された、［Ｃ２３］に記載の装置。
［Ｃ２７］
前記少なくとも１つのプロセッサは、
前記第１のノードから宛先ノードへのルートを決定すること、ここにおいて、前記第２のノードは、前記ルート上のノードである、と、
前記ルートに加わるために、前記第２のノードが前記第１のノードのネクストホップノードであると決定することと
を行うようにさらに構成された、［Ｃ２３］に記載の装置。
［Ｃ２８］
前記少なくとも１つのプロセッサは、前記第２のノードが前記第１のノードのネイバリングノードであることを検出するようにさらに構成された、
［Ｃ２３］に記載の装置。
［Ｃ２９］
前記少なくとも１つのプロセッサは、
前記少なくとも１つの発見フレームのうちの１つ中で第３のノードからスケジューリングデータを受信することと、
前記第３のノードの前記スケジューリングデータに基づいて、前記第３のノードの第３のアウェイク期間を決定することと、
前記第３のアウェイク期間にさらに基づいて、前記第１のノードの前記第２のアウェイク期間を決定することと、
前記第３のノードに関連付けることと
を行うようにさらに構成された、［Ｃ２３］に記載の装置。
［Ｃ３０］
ワイヤレス通信のためのコンピュータ実行可能コードを記憶するコンピュータ可読媒体であって、
同期情報を受信することと、
前記同期情報に基づいて、少なくとも１つの発見フレームを決定することと、
前記少なくとも１つの発見フレームのうちの１つ中で第２のノードからスケジューリングデータを受信することと、
前記第２のノードの前記スケジューリングデータに基づいて、前記第２のノードの第１のアウェイク期間を決定することと、
前記第１のアウェイク期間に基づいて、前記第１のノードの第２のアウェイク期間を決定することと、
前記第２のノードに関連付けることと、
前記第２のアウェイク期間における通信のためにアウェイクにとどまることと
を行うためのコードを備える、コンピュータ可読媒体。